(57)【特許請求の範囲】
【請求項１】
複数の選択ラインと、
少なくとも一つのデータラインと、
各々が、前記各選択ライン及び前記データラインに接続される画素駆動回路と、一端側が前記画素駆動回路に接続された発光素子と、を備える複数の画素と、
前記各選択ラインに、当該選択ラインに接続された前記画素を選択状態とする走査信号を印加するセレクトドライバと、
前記データラインに、設定された電圧値の電圧を印加するデータドライバと、
前記各画素の前記画素駆動回路の駆動端子に駆動電圧を供給する電源ドライバと、
一端が前記発光素子の他端側に接続された電流計と、
を備え、
前記各画素の前記画素駆動回路は、一端が前記駆動端子をなし他端が前記発光素子の前記一端側に接続された電流路を有する駆動素子を有し、
前記駆動電圧と前記電流計の他端と間の電位差が、前記各画素の前記駆動端子と前記発光素子の前記他端側との間に電流が流れない値に設定された状態で、前記複数の選択ラインのうちの２以上の所定数の選択ラインを含む選択ライングループの前記各選択ラインに接続される前記各画素が選択状態とされたときの、前記データラインから、前記選択状態とされた前記各画素の前記画素駆動回路と、前記発光素子と、を介して流れる第１測定電流の電流値と、前記選択ライングループから特定の一つの選択ラインを除いた残りの前記各選択ラインに接続される前記各画素が選択状態とされたときの、前記データラインから、前記選択状態とされた前記各画素の前記画素駆動回路と、前記発光素子と、を介して流れる第２測定電流の電流値とを、前記電流計により測定し、
前記第１測定電流の電流値と前記第２測定電流の電流値との差分値に基づいて、前記特定の選択ラインに接続される前記画素の前記発光素子に流れる検出電流の電流値を取得することを特徴とする発光装置。
【請求項２】
前記データドライバは、
取得した前記検出電流の電流値に基づいて、前記発光素子の発光効率を取得する発光効率取得部と、
前記発光効率取得部が取得した前記発光効率に基づいて、外部から供給される画像データに応じた電圧データを補正した補正電圧データを生成する補正演算部と、
を備えることを特徴とする請求項１に記載の発光装置。
【請求項３】
前記複数の画素に接続される前記データラインを２以上の所定数有し、
前記発光効率の取得を行う際に、前記電源ドライバは前記駆動電圧を第１の電位に設定し、
前記第１測定電流及び前記第２測定電流は前記データドライバから流れ、
前記データドライバは、前記発光効率の取得を行う際に、前記所定数のデータラインのうちの前記複数の画素における前記発光効率を取得する前記画素に接続される特定のデータラインに、前記第１の電位に対して、前記発光素子に対して順方向バイアスとなる所定の電位差を有する第１の電圧を印加し、前記所定数のデータラインから前記特定のデータラインを除いた残りの前記データラインに前記第１の電位と同電位又は前記発光素子の両端間の電位差が該発光素子に電流が流れない電位差となる電位の第２の電圧を印加することを特徴とする請求項２に記載の発光装置。
【請求項４】
前記データドライバは、前記発光効率の取得を行う際に、前記所定数のデータラインのうちの一つの特定のデータラインに前記第１の電圧を印加し、前記特定のデータラインを除く他の前記データラインに前記第２の電圧を印加し、
前記第１測定電流は、前記特定のデータラインから、該特定のデータラインと前記選択ライングループの前記各選択ラインとに接続された前記各画素の前記発光素子を介して流れる電流であり、
前記第２測定電流は、前記特定のデータラインから、該特定のデータラインと前記選択ライングループから前記特定の選択ラインを除いた残りの前記選択ラインに接続される前記各画素の前記発光素子を介して流れる電流であり、
前記発光効率の取得は、前記複数の画素の各々に対して行われることを特徴とする請求項３に記載の発光装置。
【請求項５】
前記データドライバは、前記発光効率の取得を行う際に、前記所定数のデータラインに前記第１の電圧を印加し、
前記第１測定電流は、前記所定数のデータラインから、該所定数のデータラインと前記選択ライングループの前記各選択ラインとに接続された前記各画素の前記発光素子を介して流れる電流であり、
前記第２測定電流は、前記所定数のデータラインから、該所定数のデータラインと前記選択ライングループから前記特定の選択ラインを除いた残りの前記選択ラインに接続される前記各画素の前記発光素子を介して流れる電流であり、
前記第１測定電流の電流値と前記第２測定電流の電流値との差分値を前記所定数で除した値に基づいて前記検出電流の電流値を取得することを特徴とする請求項３に記載の発光装置。
【請求項６】
前記画素駆動回路は、一端に前記駆動電圧が印加され、他端が前記発光素子の前記一端側に接続される第１の電流路と、第１の制御端子と、を有する第１のトランジスタと、一端が前記データラインに接続され、他端が前記第１のトランジスタの前記第１の電流路の他端に接続される第２の電流路と、前記選択ラインに接続される第２の制御端子と、を有する第２のトランジスタと、を有し、
前記第１のトランジスタは前記駆動素子をなし、
前記データドライバより前記データラインに前記第１の電圧が印加されたとき、前記データドライバから、前記データラインと、前記選択状態とされた前記画素の前記画素駆動回路の前記第２のトランジスタの前記第２の電流路と、前記発光素子と、を介して前記電流計に電流が流れることを特徴とする請求項３乃至５の何れか１項に記載の発光装置。
【請求項７】
発光装置の駆動制御方法であって、
複数の選択ラインと、少なくとも一つのデータラインと、各々が、前記各選択ライン及び前記データラインに接続される画素駆動回路と、一端側が前記画素駆動回路に接続された発光素子と、を備える複数の画素と、前記各選択ラインに、当該選択ラインに接続された前記画素を選択状態とする走査信号を印加するセレクトドライバと、前記データラインに、設定された電圧値の電圧を印加するデータドライバと、前記各画素の前記画素駆動回路の駆動端子に駆動電圧を供給する電源ドライバと、を備え、前記各画素の前記画素駆動回路が、一端が前記駆動端子をなし他端が前記発光素子の前記一端側に接続された電流路を有する駆動素子を有する前記発光装置を準備する準備ステップと、
前記駆動電圧と前記発光素子の他端側と間の電位差を、前記各画素の前記駆動端子と前記発光素子の前記他端側との間に電流が流れない値に設定する電位設定ステップと、
前記複数の選択ラインのうちの２以上の所定数の選択ラインを含む選択ライングループの前記各選択ラインに接続される前記各画素が選択状態とされたときの、前記データラインから、前記選択状態とされた前記各画素の前記画素駆動回路と、前記発光素子と、を介して流れる第１測定電流の電流値を測定する第１測定ステップと、
前記選択ライングループから特定の一つの選択ラインを除いた残りの前記各選択ラインに接続される前記各画素が選択状態とされたときの、前記データラインから、前記選択状態とされた前記各画素の前記画素駆動回路と、前記発光素子と、を介して流れる第２測定電流の電流値を測定する第２測定ステップと、
前記第１測定電流の電流値と前記第２測定電流の電流値との差分値に基づいて、前記特定の選択ラインに接続される前記画素の前記発光素子に流れる検出電流の電流値を取得する検出電流取得ステップと、
を含むことを特徴とする発光装置の駆動制御方法。
【請求項８】
取得した前記検出電流の電流値に基づいて、前記発光素子の発光効率を取得する発光効率取得ステップと、
前記発光効率取得部が取得した前記発光効率に基づいて、外部から供給される画像データに応じた電圧データを補正した補正電圧データを生成する補正ステップと、
を含むことを特徴とする請求項７に記載の発光装置の駆動制御方法。
【請求項９】
前記発光装置は、前記複数の画素に接続される前記データラインを２以上の所定数有し、
前記第１測定電流及び前記第２測定電流は前記データドライバから流れ、
前記発光効率取得ステップは、前記電源ドライバが前記駆動電圧を第１の電位に設定し、前記データドライバが、前記所定数のデータラインのうちの前記複数の画素における前記発光効率を取得する前記画素に接続される第１のデータラインに、前記第１の電位に対して、前記発光素子に対して順方向バイアスとなる所定の電位差を有する第１の電圧を印加し、前記所定数のデータラインから前記第１のデータラインを除いた残りの第２の前記データラインに前記第１の電位と同電位又は前記発光素子の両端間の電位差が該発光素子に電流が流れない電位差となる電位の第２の電圧を印加する電圧印加ステップを含むことを特徴とする請求項８に記載の発光装置の駆動制御方法。
【請求項１０】
前記電圧印加ステップにおいて、前記所定数のデータラインのうちの一つの特定のデータラインに前記第１の電圧を印加し、前記特定のデータラインを除く他の前記データラインに前記第２の電圧を印加し、
前記第１測定ステップにおいて、前記特定のデータラインから、該特定のデータラインと前記選択ライングループの前記各選択ラインとに接続された前記各画素の前記発光素子を介して流れる電流を前記第１測定電流として測定し、
前記第２測定ステップにおいて、前記特定のデータラインから、該特定のデータラインと前記選択ライングループから前記特定の選択ラインを除いた残りの前記選択ラインに接続される前記各画素の前記発光素子を介して流れる電流を前記第２測定電流として測定しであり、
前記発光効率取得ステップにおける前記発光効率の取得は、前記複数の画素の各々に対して行われることを特徴とする請求項９に記載の発光装置の駆動制御方法。
【請求項１１】
前記電圧印加ステップにおいて、前記所定数のデータラインに前記第１の電圧を印加し、
前記第１測定ステップにおいて、前記所定数のデータラインから、該所定数のデータラインと前記選択ライングループの前記各選択ラインとに接続された前記各画素の前記発光素子を介して流れる電流を前記第１測定電流として測定し、
前記第２測定ステップにおいて、前記所定数のデータラインから、該所定数のデータラインと前記選択ライングループから前記特定の選択ラインを除いた残りの前記選択ラインに接続される前記各画素の前記発光素子を介して流れる電流を前記第２測定電流として測定し、
前記検出電流取得ステップは、前記第１測定電流の電流値と前記第２測定電流の電流値との差分値を前記所定数で除した値に基づいて前記検出電流の電流値を取得することを特徴とする請求項９に記載の発光装置の駆動制御方法。
【請求項１２】
請求項１乃至６のいずれか１項に記載の発光装置が実装されてなることを特徴とする電子機器。
【発明の詳細な説明】
【技術分野】
【０００１】
本発明は、発光装置及びその駆動制御方法並びに電子機器に関し、特に、画素に画像データに応じて発光する発光素子を備える発光装置及びその駆動制御方法、並びに、該発光装置を実装した電子機器に関する。
【背景技術】
【０００２】
有機ＥＬ素子、無機ＥＬ素子又はＬＥＤ等の発光素子がマトリクス（行列）状に配列されて、各発光素子が発光することによって表示を行う発光素子型ディスプレイ（発光装置）が知られている。
【０００３】
発光素子型ディスプレイは、高輝度、高コントラスト、高精細、低電力等の点で、優位性を有しており、特に、有機ＥＬ素子が注目されている。
【０００４】
有機ＥＬ素子を画素に有する発光装置として、有機ＥＬ素子に印加する電圧を制御することにより、有機ＥＬ素子に流す電流を制御して、所望の発光輝度を得るようにした有機ＥＬ表示装置がある。
【０００５】
ここで、有機ＥＬ素子は、経時劣化により高抵抗化することが知られている。このため、同一の電圧を印加した場合には、有機ＥＬ素子を流れる電流が時間の経過と共に減少し、発光輝度が低下する。このため、有機ＥＬ表示装置を使い続けると、発光輝度が次第に低下して画像が徐々に暗くなり、表示品位が徐々に低下してしまう。
【０００６】
この問題に関し、有機ＥＬ素子を流れる電流の変動を補償する補償回路が、特許文献１に提案されている。
【先行技術文献】
【特許文献】
【０００７】
【特許文献１】特開２００９−２４４６５４号公報
【発明の概要】
【発明が解決しようとする課題】
【０００８】
特許文献１に記載の補償回路は、経時劣化が生じても初期特性での発光輝度が得られるようにするために、発光素子に定電流を流し、そのときの、発光素子の端子間電圧を検定し、検定電圧に基づいて、発光素子に印加する電圧を補正する。
特許文献１に記載の手法は、高い効果はあるもの、データラインに定電流を流す必要があり、回路構成及び制御が複雑である。また、検定された端子間電圧に基づいて、印加電圧を補正しても、所望の電流が画素に流れるとは限らず、より発光輝度の低下を抑制して、初期特性での発光輝度に近い表示（発光）を行うことができる発光装置が望まれている。
【０００９】
本発明は、上記実情に鑑みてなされたものであり、比較的簡単な構成で、初期特性時と同等の表示を行うことができる発光装置及びその駆動制御方法、並びに、該発光装置を実装した電子機器を提供することを目的とする。
【課題を解決するための手段】
【００１０】
本発明の第１の観点に係る発光装置は、
複数の選択ラインと、
少なくとも一つのデータラインと、
各々が、前記各選択ライン及び前記データラインに接続される画素駆動回路と、一端側が前記画素駆動回路に接続された発光素子と、を備える複数の画素と、
前記各選択ラインに、当該選択ラインに接続された前記画素を選択状態とする走査信号を印加するセレクトドライバと、
前記データラインに、設定された電圧値の電圧を印加するデータドライバと、
前記各画素の前記画素駆動回路の駆動端子に駆動電圧を供給する電源ドライバと、
一端が前記発光素子の他端側に接続された電流計と、
を備え、
前記各画素の前記画素駆動回路は、一端が前記駆動端子をなし他端が前記発光素子の前記一端側に接続された電流路を有する駆動素子を有し、
前記駆動電圧と前記電流計の他端と間の電位差が、前記各画素の前記駆動端子と前記発光素子の前記他端側との間に電流が流れない値に設定された状態で、前記複数の選択ラインのうちの２以上の所定数の選択ラインを含む選択ライングループの前記各選択ラインに接続される前記各画素が選択状態とされたときの、前記データラインから、前記選択状態とされた前記各画素の前記画素駆動回路と、前記発光素子と、を介して流れる第１測定電流の電流値と、前記選択ライングループから特定の一つの選択ラインを除いた残りの前記各選択ラインに接続される前記各画素が選択状態とされたときの、前記データラインから、前記選択状態とされた前記各画素の前記画素駆動回路と、前記発光素子と、を介して流れる第２測定電流の電流値とを、前記電流計により測定し、
前記第１測定電流の電流値と前記第２測定電流の電流値との差分値に基づいて、前記特定の選択ラインに接続される前記画素の前記発光素子に流れる検出電流の電流値を取得することを特徴とする。
【００１１】
前記データドライバは、
取得した前記検出電流の電流値に基づいて、前記発光素子の発光効率を取得する発光効率取得部と、
前記発光効率取得部が取得した前記発光効率に基づいて、外部から供給される画像データに応じた電圧データを補正した補正電圧データを生成する補正演算部と、
を備えてもよい。
【００１２】
前記複数の画素に接続される前記データラインを２以上の所定数有し、
前記発光効率の取得を行う際に、前記電源ドライバは前記駆動電圧を第１の電位に設定し、
前記第１測定電流及び前記第２測定電流は前記データドライバから流れ、
前記データドライバは、前記発光効率の取得を行う際に、前記所定数のデータラインのうちの前記複数の画素における前記発光効率を取得する前記画素に接続される特定のデータラインに、前記第１の電位に対して、前記発光素子に対して順方向バイアスとなる所定の電位差を有する第１の電圧を印加し、前記所定数のデータラインから前記特定のデータラインを除いた残りの前記データラインに前記第１の電位と同電位又は前記発光素子の両端間の電位差が該発光素子に電流が流れない電位差となる電位の第２の電圧を印加してもよい。
【００１３】
前記データドライバは、前記発光効率の取得を行う際に、前記所定数のデータラインのうちの一つの特定のデータラインに前記第１の電圧を印加し、前記特定のデータラインを除く他の前記データラインに前記第２の電圧を印加し、
前記第１測定電流は、前記特定のデータラインから、該特定のデータラインと前記選択ライングループの前記各選択ラインとに接続された前記各画素の前記発光素子を介して流れる電流であり、
前記第２測定電流は、前記特定のデータラインから、該特定のデータラインと前記選択ライングループから前記特定の選択ラインを除いた残りの前記選択ラインに接続される前記各画素の前記発光素子を介して流れる電流であり、
前記発光効率の取得は、前記複数の画素の各々に対して行われてもよい。
【００１４】
前記データドライバは、前記発光効率の取得を行う際に、前記所定数のデータラインに前記第１の電圧を印加し、
前記第１測定電流は、前記所定数のデータラインから、該所定数のデータラインと前記選択ライングループの前記各選択ラインとに接続された前記各画素の前記発光素子を介して流れる電流であり、
前記第２測定電流は、前記所定数のデータラインから、該所定数のデータラインと前記選択ライングループから前記特定の選択ラインを除いた残りの前記選択ラインに接続される前記各画素の前記発光素子を介して流れる電流であり、
前記第１測定電流の電流値と前記第２測定電流の電流値との差分値を前記所定数で除した値に基づいて前記検出電流の電流値を取得してもよい。
【００１５】
前記画素駆動回路は、一端に前記駆動電圧が印加され、他端が前記発光素子の前記一端側に接続される第１の電流路と、第１の制御端子と、を有する第１のトランジスタと、一端が前記データラインに接続され、他端が前記第１のトランジスタの前記第１の電流路の他端に接続される第２の電流路と、前記選択ラインに接続される第２の制御端子と、を有する第２のトランジスタと、を有し、
前記第１のトランジスタは前記駆動素子をなし、
前記データドライバより前記データラインに前記第１の電圧が印加されたとき、前記データドライバから、前記データラインと、前記選択状態とされた前記画素の前記画素駆動回路の前記第２のトランジスタの前記第２の電流路と、前記発光素子と、を介して前記電流計に電流が流れてもよい。
【００１６】
本発明の第２の観点に係る発光装置の駆動制御方法は、
複数の選択ラインと、少なくとも一つのデータラインと、各々が、前記各選択ライン及び前記データラインに接続される画素駆動回路と、一端側が前記画素駆動回路に接続された発光素子と、を備える複数の画素と、前記各選択ラインに、当該選択ラインに接続された前記画素を選択状態とする走査信号を印加するセレクトドライバと、前記データラインに、設定された電圧値の電圧を印加するデータドライバと、前記各画素の前記画素駆動回路の駆動端子に駆動電圧を供給する電源ドライバと、を備え、前記各画素の前記画素駆動回路が、一端が前記駆動端子をなし他端が前記発光素子の前記一端側に接続された電流路を有する駆動素子を有する前記発光装置を準備する準備ステップと、
前記駆動電圧と前記発光素子の他端側と間の電位差を、前記各画素の前記駆動端子と前記発光素子の前記他端側との間に電流が流れない値に設定する電位設定ステップと、
前記複数の選択ラインのうちの２以上の所定数の選択ラインを含む選択ライングループの前記各選択ラインに接続される前記各画素が選択状態とされたときの、前記データラインから、前記選択状態とされた前記各画素の前記画素駆動回路と、前記発光素子と、を介して流れる第１測定電流の電流値を測定する第１測定ステップと、
前記選択ライングループから特定の一つの選択ラインを除いた残りの前記各選択ラインに接続される前記各画素が選択状態とされたときの、前記データラインから、前記選択状態とされた前記各画素の前記画素駆動回路と、前記発光素子と、を介して流れる第２測定電流の電流値を測定する第２測定ステップと、
前記第１測定電流の電流値と前記第２測定電流の電流値との差分値に基づいて、前記特定の選択ラインに接続される前記画素の前記発光素子に流れる検出電流の電流値を取得する検出電流取得ステップと、
を含むことを特徴とする。
【００１７】
取得した前記検出電流の電流値に基づいて、前記発光素子の発光効率を取得する発光効率取得ステップと、
前記発光効率取得部が取得した前記発光効率に基づいて、外部から供給される画像データに応じた電圧データを補正した補正電圧データを生成する補正ステップと、
を含んでもよい。
【００１８】
前記発光装置は、前記複数の画素に接続される前記データラインを２以上の所定数有し、
前記第１測定電流及び前記第２測定電流は前記データドライバから流れ、
前記発光効率取得ステップは、前記電源ドライバが前記駆動電圧を第１の電位に設定し、前記データドライバが、前記所定数のデータラインのうちの前記複数の画素における前記発光効率を取得する前記画素に接続される第１のデータラインに、前記第１の電位に対して、前記発光素子に対して順方向バイアスとなる所定の電位差を有する第１の電圧を印加し、前記所定数のデータラインから前記第１のデータラインを除いた残りの第２の前記データラインに前記第１の電位と同電位又は前記発光素子の両端間の電位差が該発光素子に電流が流れない電位差となる電位の第２の電圧を印加する電圧印加ステップを含んでもよい。
【００１９】
前記電圧印加ステップにおいて、前記所定数のデータラインのうちの一つの特定のデータラインに前記第１の電圧を印加し、前記特定のデータラインを除く他の前記データラインに前記第２の電圧を印加し、
前記第１測定ステップにおいて、前記特定のデータラインから、該特定のデータラインと前記選択ライングループの前記各選択ラインとに接続された前記各画素の前記発光素子を介して流れる電流を前記第１測定電流として測定し、
前記第２測定ステップにおいて、前記特定のデータラインから、該特定のデータラインと前記選択ライングループから前記特定の選択ラインを除いた残りの前記選択ラインに接続される前記各画素の前記発光素子を介して流れる電流を前記第２測定電流として測定しであり、
前記発光効率取得ステップにおける前記発光効率の取得は、前記複数の画素の各々に対して行われてもよい。
【００２０】
前記電圧印加ステップにおいて、前記所定数のデータラインに前記第１の電圧を印加し、
前記第１測定ステップにおいて、前記所定数のデータラインから、該所定数のデータラインと前記選択ライングループの前記各選択ラインとに接続された前記各画素の前記発光素子を介して流れる電流を前記第１測定電流として測定し、
前記第２測定ステップにおいて、前記所定数のデータラインから、該所定数のデータラインと前記選択ライングループから前記特定の選択ラインを除いた残りの前記選択ラインに接続される前記各画素の前記発光素子を介して流れる電流を前記第２測定電流として測定し、
前記検出電流取得ステップは、前記第１測定電流の電流値と前記第２測定電流の電流値との差分値を前記所定数で除した値に基づいて前記検出電流の電流値を取得してもよい。
【００２１】
本発明の第３観点に係る電子機器は、前記発光装置が実装されてなることを特徴とする。
【発明の効果】
【００２２】
本発明によれば、比較的簡単な構成で、初期特性時と同等の表示を行うことができる発光装置及びその駆動制御方法、並びに、該発光装置を実装した電子機器を提供することができる。
【図面の簡単な説明】
【００２３】
【図１】本発明の有機ＥＬ表示装置の構成の一例を示す図である。
【図２】セレクトラインに順次出力される走査信号と電源ラインに順次出力される電圧の一例を示す図である。
【図３】本発明のデータドライバの構成の一例を示す図である。
【図４】（ａ）は、検出電流の変化率−発光効率の関係の一例を示す図であり、（ｂ）は、検出電流の変化率−発光効率の関係の一覧を示す図であり、（ｃ）は、有機ＥＬ素子の電圧−電流の関係の一例を示す図である。
【図５】本発明の第１の実施形態における発光効率取得動作の一例を示す図である。
【図６】本発明の第１の実施形態におけるセレクトラインに出力する走査信号の生成方法の一例を説明するための図である。
【図７】本発明の第１の実施形態におけるセレクトラインに出力する走査信号の生成方法の一例を説明するための図である。
【図８】本発明の第２の実施形態における発光効率取得動作の一例を示す図である。
【図９】（ａ）は、本発明の表示動作時における画素駆動回路の各部の電圧または電流の一例を示す図であり、（ｂ）は、本発明の発光効率抽出動作時における画素駆動回路の各部の電圧または電流の一例を示す図であり、（ｃ）は、本発明の画素駆動回路を駆動させるための電源構成の一例を示す図である。
【図１０】（ａ）は、本発明に係る有機ＥＬ表示装置を適用したデジタルカメラの構成例を示す正面斜視図であり、（ｂ）は、本発明に係る有機ＥＬ表示装置を適用したデジタルカメラの構成例を示す背面斜視図である。
【図１１】本発明に係る有機ＥＬ表示装置を適用したパーソナルコンピュータの構成例を示す斜視図である。
【図１２】本発明に係る有機ＥＬ表示装置を適用した携帯電話機の構成例を示す図である。
【発明を実施するための形態】
【００２４】
以下に、本発明の実施形態に係る有機ＥＬ表示装置（発光装置）１について説明する。有機ＥＬ表示装置１は、図１に示すように、表示パネル２と、セレクトドライバ３と、電源ドライバ４と、データドライバ５と、システムコントローラ６と、電流計７と、カソード回路８と保護回路１０とを有している。
【００２５】
表示パネル２は、ｎ行ｍ列のマトリクス状に配置された画素２１（２１（１，１）〜２１（ｎ，ｍ））と、行方向（図１の左右方向）に延び、列方向に配列されている複数のセレクトライン（選択ライン）Ｌｓ１〜Ｌｓｎおよび電源ラインＬｖ１〜Ｌｖｎと、列方向（図１の上下方向）に延び、行方向に配列されている複数のデータラインＬｄ１〜Ｌｄｍとを有している。
【００２６】
画素２１（ｉ，ｊ）（ｉ＝１〜ｎ，ｊ＝１〜ｍ）は、セレクトラインＬｓｉとデータラインＬｄｊの交点の近傍に配置され、同一行のセレクトラインＬｓｉと電源ラインＬｖｉと同一列のデータラインＬｄｊに接続されている。
【００２７】
画素２１（ｉ，ｊ）は、画素駆動回路２１Ｄと有機ＥＬ素子ＯＥＬとから構成されている。
【００２８】
画素２１（ｉ，ｊ）の画素駆動回路２１Ｄは、トランジスタＴ２１〜Ｔ２３とコンデンサＣ１とを含む。
【００２９】
トランジスタＴ２１〜Ｔ２３は、アモルファスシリコンまたはポリシリコンを用いたｎチャネル型ＴＦＴ（薄膜トランジスタ：Ｔｈｉｎ  Ｆｉｌｍ  Ｔｒａｎｓｉｓｔｏｒ）である。
【００３０】
トランジスタＴ２１は、ゲートがセレクトラインＬｓｉに接続され、ドレインがノードＮ２２に接続され、ソースが電源ラインＬｖｉとトランジスタＴ２３のソースに接続されている。
【００３１】
トランジスタＴ２２は、ゲートがセレクトラインＬｓｉに接続され、ソースがデータラインＬｄｊに接続され、ドレインがノードＮ２１に接続されている。
【００３２】
トランジスタＴ２３は、ゲートがノードＮ２２に接続され、ドレインがノードＮ２１に接続され、ソースが電源ラインＬｖｉとトランジスタＴ２１のソースに接続されている。ここで、トランジスタＴ２１のソース及びトランジスタＴ２３のソースは本発明の駆動端子に対応する。
【００３３】
また、コンデンサＣ１は、ノードＮ２２とノードＮ２１の間、すなわち、トランジスタＴ２３のゲートとドレインの間に接続されている。
【００３４】
有機ＥＬ素子ＯＥＬは、アノード電極と、カソード電極と、これらの電極間に形成された電子注入層、発光層、正孔注入層、等を備える。有機ＥＬ素子ＯＥＬのアノード電極は、ノードＮ２１に接続され、カソード電極は、全ての画素２１に共通の電流計７の一端に接続されている。
【００３５】
有機ＥＬ素子ＯＥＬは、アノード電極からカソード電極に向かって電流が流れると、発光層において正孔注入層から供給された正孔と電子注入層から供給された電子とが再結合し、この際に発生するエネルギーによって発光する。
【００３６】
セレクトドライバ３は、画素２１の行（以下、画素行とする）を選択して、各画素２１を選択状態とするための回路であり、表示動作時（発光動作時）及び後述する発光効率取得動作時に、図２（Ａ）〜図２（Ｄ）に示すように、セレクトラインＬｓ１〜Ｌｓｎに、選択期間ｔｓの間には、高電位のハイレベル電圧Ｖｈｉｇｈ（選択レベル）となり、それ以外の期間（非選択期間：発光期間）には低電位のロウレベル電圧Ｖｌｏｗ（非選択レベル）となる走査信号を順次出力する。
【００３７】
図１に示す電源ドライバ４は、表示動作時（発光動作時）には、図２（Ｅ）〜（Ｈ）に示すように、各選択期間ｔｓにおいて、走査信号が印加されたセレクトラインＬｓ１〜Ｌｓｎに対応する画素行に接続された電源ラインＬｖ１〜Ｌｖｎに基準電圧Ｖｓｓ（例えば、接地電位ＧＮＤ＝０Ｖ）を順次出力し、それ以外の期間、基準電圧Ｖｓｓより高いレベルの電源電圧Ｖｃｃを出力する。
【００３８】
また、電源ドライバ４は、後述する発光効率取得動作時には、全ての電源ラインＬｖ１〜Ｌｖｎに共通電圧Ｖｃｏｍ（例えば、−１０V）を印加する。
【００３９】
図１に示すデータドライバ５は、後述する表示動作時には、デ−タラインＬｄ１〜Ｌｄｍに画像の各画素の表示階調に対応するアナログ表示信号を印加する。
【００４０】
一方、データドライバ５は、後述する発光効率取得動作時には、データラインＬｄ１〜Ｌｄｍに設定電圧Ｖｄ（例えば、−３Ｖ）又は共通電圧Ｖｃｏｍ（例えば、−１０Ｖ）の何れかの電圧を印加する。
【００４１】
具体的に説明すると、データドライバ５は、図３に示すように、シフトレジスタ回路５０と、データレジスタ回路５１と、データラッチ回路５２と、補正演算部５３と、デジタル電圧／アナログ電圧変換回路（ＤＡＣ）５４と、出力回路５５と、アナログ電圧／デジタル電圧変換回路（ＡＤＣ）５６と、発光効率取得部５７と、メモリ５８とを有している。
【００４２】
シフトレジスタ回路５０は、表示動作時には、サンプリングスタート信号ＳＴＲをシフトクロック信号ＣＬＫに基づいて順次シフトして、シフト信号をデータレジスタ回路５１に供給する。
【００４３】
データレジスタ回路５１は、シフトレジスタ回路５０から供給されるシフト信号に応じたタイミングで、各画素の表示階調を指示する画像データＤ１〜Ｄｍを順次取り込む。なお、画像データは８ビットのデジタル信号であるとする。この場合、有機ＥＬ素子ＯＥＬの発光の階調は２５６階調である。
【００４４】
データラッチ回路５２は、データラッチ信号ＳＴＢが供給されると、データレジスタ回路５１に取り込まれている１行分の画像データＤ１〜Ｄｍをラッチして、保持する。
【００４５】
補正演算部５３は、データラッチ回路５２に保持されている画像データＤ１〜Ｄｍを読み出して、画像データに応じた発光輝度を得るためにデ−タラインＬｄ１〜Ｌｄｍに印加すべき電圧を示す電圧データに変換する。そして、補正演算部５３は、現状の劣化した有機ＥＬ素子ＯＥＬが、所期の輝度で発光できるように、メモリ５８に格納されている発光効率ηを用いて電圧デ−タを補正して、補正電圧データを生成する。補正の内容については、後述する。
【００４６】
ＤＡＣ５４は、補正演算部５３が算出した電圧デ−タをアナログ電圧に変換する。
【００４７】
出力回路５５は、表示動作時には、ＤＡＣ５４から供給されたアナログ電圧を各データラインＬｄ１〜Ｌｄｍに出力する。
一方、出力回路５５は、後述する発光効率取得動作時に、第１列のデータラインＬｄ１〜Ｌｄｍに設定電圧Ｖｄ（例えば、−３Ｖ）又は共通電圧Ｖｃｏｍ（例えば、−１０Ｖ）の何れかの電圧を印加する。
【００４８】
ＡＤＣ５６は、後述する発光効率取得動作時において、有機ＥＬ素子ＯＥＬに所定の電圧が印加されたときに、電流計７が測定した電流をデジタル信号に変換して発光効率取得部５７に供給する。
【００４９】
発光効率取得部５７は、例えば図４（ｂ）に示すような、有機ＥＬ素子ＯＥＬを流れる検出電流Ｉｄの電流値の変化率と発光効率ηとの関係を示すＬＵＴ（ルックアップテーブル）を記憶している。
【００５０】
検出電流Ｉｄの電流値の変化率は、図４（ｃ）に示すように、有機ＥＬ素子ＯＥＬのアノード・カソード間に流れる電流Ｉelにおいて、初期状態の有機ＥＬ素子ＯＥＬに所定の電圧Ｖ０を印加したときに有機ＥＬ素子ＯＥＬに流れる電流が初期電流Ｉ０であり、その後の有機ＥＬ素子ＯＥＬの高抵抗化によって電圧Ｖ０を印加したときに有機ＥＬ素子ＯＥＬに流れる電流が検出電流Ｉdであるときの、検出電流Ｉd／初期電流Ｉ０の計算値である。ここで、初期電流Ｉ０は、例えば、表示パネル２の製造後の工場出荷時に初期電流Ｉ０の測定を行って、その電流値を記憶させておくものであってもよいし、表示パネル２の設計値に基づいて予め設定された初期電流Ｉ０の値を記憶させておくものであってもよい。
【００５１】
発光効率ηは、有機ＥＬ素子ＯＥＬに一定の電流を流したときの有機ＥＬ素子ＯＥＬの発光輝度の、初期状態の有機ＥＬ素子ＯＥＬの発光輝度を１としたときの相対値であり、発光効率ηは上記の有機ＥＬ素子ＯＥＬの高抵抗化による検出電流Ｉdの電流値の減少に伴って、図４（ａ）に示すように低下する。したがって、初期状態と同等の発光輝度を得るためには、有機ＥＬ素子ＯＥＬに流す電流の電流値を１／η倍に増加させる必要がある。
【００５２】
発光効率取得部５７は、このＬＵＴを参照して、ＡＤＣ５６から供給された検定電流Ｉdに対応する発光効率ηを取得する。
【００５３】
メモリ５８は、発光効率取得部５７が取得した発光効率ηを記憶している。
【００５４】
システムコントローラ６は、セレクトドライバ３、電源ドライバ４、データドライバ５、カソード回路８に制御信号を供給して、セレクトドライバ３、電源ドライバ４、データドライバ５、カソード回路８を制御することにより、有機ＥＬ表示装置１全体の動作を制御する。
【００５５】
システムコントローラ６が実行する制御の詳細は後述する。
【００５６】
電流計７は、一端（電流流入端）が、全画素２１（２１（１，１）〜２１（ｎ，ｍ））の有機ＥＬ素子ＯＥＬのカソード電極に接続されたカソードラインＬｃに接続され、全ての有機ＥＬ素子ＯＥＬに流れる電流を測定する。
【００５７】
カソード回路８は、電流計７の他端（電流流出端）に接続され、スイッチ９を備え、スイッチ９の切り替えに従って、電流計７の他端に基準電圧Ｖｓｓ（例えば、接地電位ＧＮＤ＝０Ｖ）又は共通電圧Ｖｃｏｍ（例えば、−１０Ｖ）を印加する。
【００５８】
保護回路１０は、高電圧の静電気パルスが外部から有機ＥＬ表示装置１に入ってきた場合に、それによって各画素２１の各トランジスタが破壊されるような損傷を受けることを抑制するために設けられている静電気用の保護回路であり、低電位の電源ＶＬを供給する電源ライン１１および高電位の電源ＶＨを供給する電源ライン１２と電気的に接続されて、静電気パルスを電源ライン１１、１２に逃がすように構成されている。保護回路１０は、例えば、直列接続された２個のダイオードＤ１及びＤ２を備える。ダイオードＤ１のアノードは低電位の電源ＶＬを供給するライン１１に接続され、ダイオードＤ２のカソードは高電位の電源ＶＨを供給するライン１２に接続されている。このような静電気用の保護回路は、実際には、セレクトラインＬｓ１〜Ｌｓｎ、データラインＬｄ１〜Ｌｄｍ、電源ラインＬｖ１〜Ｌｖｎ及びカソードラインＬｃに設けられている。図１に示した保護回路１０は、例えば、データラインＬｄ１から画素２１（１，１）の有機ＥＬ素子ＯＥＬを通ってカソードラインＬｃに至る電流経路の、データラインＬｄ１及びカソードラインＬｃに設けられている保護回路を、便宜上、１つにまとめて示したものである。なお、セレクトラインＬｓ１〜Ｌｓｎ及び電源ラインＬｖ１〜Ｌｖｎに設けられている保護回路は本発明においては影響しないため、図示を省略した。
【００５９】
ここで、ライン１１にかかる電圧より低電位の静電気パルスがカソードラインＬｃに入った場合には、ダイオードＤ１を介して静電気パルスが低電位のライン１１に流れ、ライン１２にかかる電圧より高電位の静電気パルスがカソードラインＬｃに入った場合には、ダイオードＤ２を介して静電気パルスが高電位のライン１２に流れる。
【００６０】
保護回路１０は、データラインＬｄ１から画素２１（１，１）の有機ＥＬ素子ＯＥＬを通ってカソードラインＬｃに至る電流経路の途中に設けられているが、通常の駆動電圧の範囲内では十分な高抵抗を示すため各有機ＥＬ素子ＯＥＬの発光を妨げることはなく、有機ＥＬ表示装置１の画質を低下させることはない。
【００６１】
＜第１の実施形態＞
上記構成を有する有機ＥＬ表示装置１の第１の実施形態に関わる動作について、図５を参照して説明する。
この表示装置の動作は、電源立ち上げ時等の所定のタイミングで実行され、発光効率ηを求める発光効率抽出動作と、求めた発光効率ηを用いて画像を表示する表示動作とを含む。
【００６２】
まず、発光効率抽出動作について説明する。
この発光効率抽出動作は、有機ＥＬ素子ＯＥＬの経年劣化による表示の劣化を補償するために使用される発光効率ηを求める動作である。
【００６３】
システムコントローラ６は、電源立ち上げ時のイニシャライズ処理等が終了すると、セレクトドライバ３と、電源ドライバ４と、データドライバ５とカソード回路８とに発光効率抽出処理を指示する。
まず、第１行第１列の一つの画素２１（１，１）の有機ＥＬ素子ＯＥＬの発光効率η（１，１）を取得する際の発光効率取得動作について説明する。
【００６４】
この制御に従って、例えば１０本のセレクトラインＬｓを１つのグループとしたとき、まず、セレクトドライバ３はセレクトラインＬｓ１〜Ｌｓ１０を選択する。
【００６５】
セレクトドライバ３は、図６（ａ）に示すようにシフトレジスタ回路を有して構成され、シフトレジスタ回路には一定周期のクロックパルスＣＬＫとスタートパルスＳｔａｒｔとが供給され、供給されたスタートパルスＳｔａｒｔを取り込み、クロックパルスＣＬＫの周期で順次シフトして出力する。ここで、シフトレジスタ回路から出力される出力信号の時間幅はスタートパルスＳｔａｒｔの時間幅となる。
【００６６】
セレクトラインの１つのグループの本数が１０本であるとき、図６（ｂ）に示すように、スタートパルスＳｔａｒｔの時間幅をクロックパルスＣＬＫの周期ｔｑの１０周期分の時間幅に設定する。
【００６７】
シフトレジスタ回路は、スタートパルスＳｔａｒｔを取り込み、クロックパルスＣＬＫに応じて順次シフトしながら出力する。
【００６８】
このとき、シフトレジスタ回路の出力信号の時間幅は、スタートパルスＳｔａｒｔの時間幅に応じたクロックパルスＣＬＫの１０周期分の時間幅となっているため、図６（ｂ）に示すように、シフトレジスタ回路の各出力信号は互いに重複したタイミングを有して出力され、スタートパルスＳｔａｒｔの供給開始タイミングをＴ０としたとき、クロックパルスＣＬＫの１０クロック目のＴ９〜Ｔ１０の期間で、セレクトラインＬｓ１〜Ｌｓ１０に出力する走査信号が共にハイレベル電圧Ｖhighとなる。このＴ９〜Ｔ１０の期間を用いることで、本実施形態を実行することができる。
【００６９】
また、電源ドライバ４は、全ての電源ラインＬｖ１〜Ｌｖｎに共通電圧Ｖｃｏｍ（例えば、−１０Ｖ）を印加する。
【００７０】
データドライバ５は、少なくとも上記Ｔ９〜Ｔ１０の期間において、データラインＬｄ１に設定電圧Ｖｄ（例えば、−３Ｖ）を印加し、データラインＬｄ２〜Ｌｄｍに共通電圧Ｖｏｍ（例えば、−１０Ｖ）を印加する。
【００７１】
さらに、カソード回路８は、スイッチ９を切り替えて、電流計７の他端に、共通電圧Ｖｃｏｍ（例えば、−１０Ｖ）を印加する。
【００７２】
すると、図５に示すように、第１行〜第１０行の第１列の画素２１（１，１）〜２１（１０，１）のトランジスタＴ２２がオンし、データラインＬｄ１に−３Ｖが印加され、カソード回路８に−１０Ｖが印加されることから、これらの画素２１（１，１）〜２１（１０，１）の各々の有機ＥＬ素子ＯＥＬのアノード・カソード間にほぼ７Ｖの電圧降下が生じ、電流が流れる。一方、第１行〜第１０行の第２列から第ｍ列の画素２１（１，２）〜２１（１０，ｍ）のトランジスタＴ２２はオンするが、データラインＬｄ２〜Ｌｄｍには−１０Ｖが印加され、カソード回路８にも−１０Ｖが印加されて同電位であることから、これらの画素２１（１，２）〜２１（１０，ｍ）の有機ＥＬ素子ＯＥＬに電流は流れない。なお、上記においては、データラインに印加される電圧とカソード回路８に印加される電圧とが同電位に設定されるとしたが、同電位であることに限るものではない。要するに、トランジスタＴ２２から有機ＥＬ素子ＯＥＬを介して電流が流れなければよいので、データラインに印加される電圧とカソード回路８に印加される電圧との間の電位差が、少なくとも有機ＥＬ素子ＯＥＬに電流が流れ始める閾値電圧より小さければよい。以下の各実施形態においても同様である。
【００７３】
また、第１１行〜第ｎ行の画素に関しては、トランジスタＴ２１，Ｔ２２、Ｔ２３が全てオフとなる。このため、電流は流れない。
【００７４】
これにより、電流計７には、データドライバ５から第１行〜第１０行の第１列の画素２１（１，１）〜２１（１０，１）の１０個のトランジスタＴ２２と有機ＥＬ素子ＯＥＬを通り、カソードラインＬｃを介してカソード回路８に電流が流れる。この電流を第１測定電流Ｉｍ１（１０）とする。
【００７５】
この第１測定電流Ｉｍ１（１０）の電流値は電流計７により測定され、ＡＤＣ５６に供給される。
ＡＤＣ５６は、第１測定電流Ｉｍ１（１０）の電流値をデジタルデータに変換し、発光効率取得部５７に供給する。
【００７６】
ここで、保護回路１０から僅かながら漏れ電流Ｉｒが流れて、カソードラインＬｃに流れ込んでいる場合、あるいは、カソードラインＬｃから保護回路１０に漏れ電流Ｉｒが流れ出している場合がある。画素２１（１，１）の有機ＥＬ素子ＯＥＬに流れる検出電流をＩel１、画素２１（２，１）の有機ＥＬ素子ＯＥＬに流れる検出電流をＩel２、・・・、画素２１（ｎ，１）の有機ＥＬ素子ＯＥＬに流れる検出電流をＩelｎとし、画素２１（１，１）〜２１（１０，１）の１０個の有機ＥＬ素子ＯＥＬに流れる検出電流の総計を第１総検出電流Ｉel１（１０）としたとき、第１総検出電流Ｉel１（１０）は次式（１）で表される。そして、保護回路１０から漏れ電流ＩｒがカソードラインＬｃに流れ込んでいるとした場合、第１測定電流Ｉｍ１（１０）は、次式（２）で表される。
Ｉel１（１０）＝Ｉel１＋Ｉel２＋・・・＋Ｉel１０  ・・・（１）
Ｉｍ１（１０）＝Ｉel１（１０）＋Ｉｒ  ・・・（２）
【００７７】
次に、セレクトドライバ３はセレクトラインＬｓ２〜Ｌｓ９を選択して、上記と同様にして電流計７に流れる電流を測定する。
【００７８】
セレクトラインＬｓ２〜Ｌｓ１０の選択には、上記と同様の手法を適用することができる。すなわち、図７に示すように、スタートパルスＳｔａｒｔの時間幅をクロックパルスＣＬＫの周期ｔｑの９周期分の時間幅に設定する。そして、図７に示すように、スタートパルスＳｔａｒｔの供給開始タイミングをＴ０としたとき、クロックパルスＣＬＫの１１クロック目のＴ１０〜Ｔ１１の期間で、セレクトラインＬｓ２〜Ｌｓ１０に出力する走査信号が共にハイレベル電圧Ｖhighとなる。
【００７９】
データドライバ５は、少なくとも上記Ｔ１０〜Ｔ１１の期間において、データラインＬｄ１に設定電圧Ｖｄ（例えば、−３Ｖ）を印加し、データラインＬｄ２〜Ｌｄｍに共通電圧Ｖｏｍ（例えば、−１０Ｖ）を印加する。カソード回路８は、スイッチ９を切り替えて、電流計７の他端に、共通電圧Ｖｃｏｍ（例えば、−１０Ｖ）を印加する。
【００８０】
これにより、第２行〜第１０行の第１列の画素２１（２，１）〜２１（１０，１）のトランジスタＴ２２がオンし、画素２１（２，１）〜２１（１０，１）の有機ＥＬ素子ＯＥＬのアノード・カソード間にほぼ７Ｖの電圧降下が生じ、電流が流れる。一方、第２行〜第１０行の第２列から第ｍ列の画素２１（２，２）〜２１（１０，ｍ）のトランジスタＴ２２はオンするが、データラインＬｄ２〜Ｌｄｍには−１０Ｖが印加され、カソード回路８にも−１０Ｖが印加されて同電位であることから、これらの画素２１（２，２）〜２１（１０，ｍ）の有機ＥＬ素子ＯＥＬに電流は流れない。
【００８１】
また、第１行及び第１１行〜第ｎ行の画素は、トランジスタＴ２１，Ｔ２２、Ｔ２３が全てオフとなるため、電流は流れない。
【００８２】
これにより、電流計７には、データドライバ５から第２行〜第１０行の第１列の画素２１（２，１）〜２１（１０，１）の９個のトランジスタＴ２２と有機ＥＬ素子ＯＥＬを通り、カソードラインＬｃを介してカソード回路８に流れる電流が流れる。この電流を第２測定電流Ｉｍ１（９）とする。
【００８３】
この第２測定電流Ｉｍ１（９）の電流値は電流計７により測定され、ＡＤＣ５６に供給される。
【００８４】
ＡＤＣ５６は、第２測定電流Ｉｍ１（９）の電流値をデジタルデータに変換し、発光効率取得部５７に供給する。
【００８５】
画素２１（２，１）〜２１（１０，１）の９個の有機ＥＬ素子ＯＥＬに流れる検出電流の総計を第２総検出電流Ｉel１（９）としたとき、第２総検出電流Ｉel１（９）は次式（３）で表される。そして、保護回路１０から漏れ電流ＩｒがカソードラインＬｃに流れ込んでいるとした場合、第２測定電流Ｉｍ１（９）は、次式（４）で表される。ここで、第１測定電流Ｉｍ１（１０）と第２測定電流Ｉｍ１（９）が流れるデータラインＬｄ１及びカソードラインＬｃは共通であるから、保護回路１０から流れ込む漏れ電流Ｉｒも同じである。
Ｉel１（９）＝Ｉel２＋Ｉel３＋・・・＋Ｉel１０  ・・・（３）
Ｉｍ１（９）＝Ｉel（９）＋Ｉｒ  ・・・（４）
【００８６】
次いで、式（２）と式（４）より、次式（５）に示すように、第１測定電流Ｉｍ１（１０）の電流値と第２測定電流Ｉｍ１（９）の電流値との差分値を求めることにより、漏れ電流Ｉｒが相殺されて、一つの画素２１（１，１）の有機ＥＬ素子ＯＥＬに流れる検出電流Ｉel１を求めることができる。なお、カソードラインＬｃから保護回路１０に漏れ電流Ｉｒが流れ出している場合であっても、同じく相殺される。
Ｉｍ１（１０）−Ｉｍ１（９）＝（Ｉel１（１０）＋Ｉｒ）−（Ｉel１（９）＋Ｉｒ）＝Ｉel１（１０）−Ｉel１（９）＝Ｉel１  ・・・（５）
発光効率取得部５７は、上記式（５）に基づいて、画素２１（１，１）の有機ＥＬ素子ＯＥＬに流れる検出電流Ｉel１の電流値を求める。
【００８７】
発光効率取得部５７は、求めた検出電流Ｉel１の電流値をメモリ５８に供給し、メモリ５８は検出電流Ｉel１の電流値を格納する。ここで、検出電流Ｉel１は、図４における検出電流Ｉdに対応する。
【００８８】
発光効率取得部５７は、検出電流Ｉel１（検出電流Ｉd）の初期電流Ｉ０に対する電流値の変化率を算出し、この変化率（Ｉｄ／Ｉ０）の値でルックアップテーブルを引き、対応する、第１行第１列の画素２１（１，１）の有機ＥＬ素子ＯＥＬの発光効率η（１、１）を取得する。
【００８９】
発光効率取得部５７は、抽出した発光効率η（１、１）をメモリ５８に供給し、メモリ５８は発光効率η（１、１）を格納する。
【００９０】
以上によって、第１行第１列の一つの画素２１（１，１）の有機ＥＬ素子ＯＥＬの発光効率η（１、１）を取得して、メモリ５８に格納する。
【００９１】
次いで、有機ＥＬ表示装置１は、データドライバ５から設定電圧Ｖｄを印加するデータラインをＬｄ２〜Ｌｄｍに順次変えて上記と同様の動作を行うことにより、第１行第２列〜第ｍ列の画素２１（１，２）〜２１（１，ｍ）の有機ＥＬ素子ＯＥＬの発光効率η（１、２）〜η（１、ｍ）を取得して、メモリ５８に格納する。
【００９２】
本実施形態の有機ＥＬ表示装置１は、以上の動作を表示パネル２の全てのセレクトラインＬｓ１〜Ｌｓｎに対して実行する。
【００９３】
これにより、発光効率取得部５７は、全ての画素２１（１，１）〜２１（ｎ，ｍ）の各々の有機ＥＬ素子ＯＥＬの発光効率η（１、１）〜η（ｎ、ｍ）を取得して、メモリ５８に格納する。
【００９４】
メモリ５８に全ての発光効率η（１、１）〜η（ｎ、ｍ）が格納されると、システムコントローラ６は、発光効率取得処理を終了する。
【００９５】
なお、上記においては、１０本のセレクトラインＬｓを１つのグループとした場合について説明したが、これに限るものではなく、１つのグループとして２本以上のセレクトラインＬｓを設定すればよい。
【００９６】
次に、取得した発光効率η（１、１）〜η（ｎ、ｍ）を用いた補正を行って画像を表示する表示動作について説明する。
【００９７】
システムコントローラ６は、表示動作を開始する際、カソード回路８のスイッチ９を切り替えて基準電圧Ｖｓｓに接続する。
【００９８】
続いて、システムコントローラ６は、図示せぬ垂直同期信号等に応答して、セレクトドライバ３に、図２（Ａ）〜（Ｄ）に示すように、走査信号を出力させ、電源ドライバ４に図２（Ｅ）〜（Ｈ）に示すように、電圧信号を出力させる。
【００９９】
また、システムコントローラ６は、データドライバ５に表示動作を実行させるための制御信号を出力する。
【０１００】
この制御信号に応答して、シフトレジスタ回路５０は、シフト信号をデータレジスタ回路５１に供給する。
【０１０１】
データレジスタ回路５１は、シフトレジスタ回路５０から供給されるシフト信号に応答して、画像データＤ１〜Ｄｍを順次取り込んでシフトし、１行分のデータが格納されると、データラッチ回路５２が、これをラッチして保持する。
【０１０２】
補正演算部５３は、データラッチ回路５２に保持されている画像データＤ１〜Ｄｍを読み出して、画像データに対応した電圧データを、画像データに応じた発光輝度を得るためにデ−タラインＬｄ１〜Ｌｄｍに印加すべき電圧値を有する補正電圧データに補正する。電圧データは、基本的に、有機ＥＬ素子ＯＥＬの初期特性に基づいて定められている。
【０１０３】
補正演算部５３は、現状の劣化した有機ＥＬ素子ＯＥＬが初期状態時と同等の輝度で発光できるように、各電圧データに、メモリ５８に格納されている各画素２１に対応した発光効率ηの逆数である１／ηを乗算して、電圧デ−タを補正する。
【０１０４】
上述したように、発光効率ηは、経時劣化などの原因により、一定の電流値の電流を有機ＥＬ素子ＯＥＬに流したときの、有機ＥＬ素子ＯＥＬの発光輝度の初期状態に対する低下率を示している。したがって、初期状態と同等の発光輝度を得るためには、有機ＥＬ素子ＯＥＬに流す電流の電流値を初期状態での電流値の１／η倍にすればよい。このために、画素２１に対する印加電圧を（１／η）倍すれば、有機ＥＬ素子ＯＥＬを流れる電流を（１／η）倍することができる。
【０１０５】
補正演算部５３は、メモリ５８から各画素２１に対応する発光効率ηを読み出し、電圧データに１／η１を乗算して、電圧データを補正した補正電圧データＶｄａｔａを生成して出力する。
【０１０６】
ＤＡＣ５４は、例えば、補正演算部５３が出力した補正電圧デ−タＶｄａｔａをアナログ電圧に変換し、出力回路５５は、アナログ電圧を各データラインＬｄ１〜Ｌｄｍに出力する。
【０１０７】
これにより、各画素２１（１，１）〜２１（ｎ，ｍ）に、補正しない場合と比較して、それぞれ対応した発光効率ηの逆数である１／η１を乗算した補正電圧データＶｄａｔａに対応する電圧が印加され、これに伴い、画素２１（１，１）〜２１（ｎ，ｍ）の有機ＥＬ素子ＯＥＬに、それぞれ対応してほぼ１／η倍の電流が流れ、各画素２１（１，１）〜２１（ｎ，ｍ）において、初期状態時と同等の発光輝度での表示がなされる。
【０１０８】
以上説明したように、本実施の形態によれば、発光効率取得動作により、各画素２１の有機ＥＬ素子ＯＥＬに流れる検出電流Ｉelの初期電流Ｉ０に対する変化率を求め、この変化率の値から各画素２１の発光効率ηを求めておき、表示動作時に、電圧データに１／ηを乗算して補正し、補正後の補正電圧データに対応する電圧を各画素２１に印加することにより、経時劣化が起こったとしても、同一の画像データに対して、初期状態時と同等の表示（発光）を行うことができる。
【０１０９】
＜第２の実施形態＞
上記第１実施形態においては、表示パネル２の複数の画素２１の各々に対して発光効率ηを抽出する形態とした。しかしながら、大型パネルや高精細パネルのように画素数が増大すると、発光効率取得動作に要する時間が画素数に応じて増加してしまう。これに対し、以下に説明する第２の実施形態は、行毎のｍ個の画素２１から各行の１個の画素２１当たりの発光効率ηの平均値を求めるようにして、発光効率取得動作に要する時間を短縮するようにしたものである。
【０１１０】
有機ＥＬ表示装置１の第２の実施形態に関わる動作について、図８を参照して説明する。なお、本実施形態における発光効率取得動作は、第１実施形態における発光効率取得動作と同様の構成を含んでおり、第１実施形態との差異点を中心に説明する。
【０１１１】
まず、第１行のｍ個の画素２１（１，１）〜２１（１，ｍ）から１個の画素２１当たりの有機ＥＬ素子ＯＥＬの発光効率η１を取得する際の発光効率取得動作について説明する。
【０１１２】
この発光効率取得動作において、まず、例えば１０本のセレクトラインＬｓを１つのグループとして、セレクトドライバ３は、第１実施形態と同様にして、セレクトラインＬｓ１〜Ｌｓ１０を選択する。
【０１１３】
そして、データドライバ５は、少なくとも上記Ｔ９〜Ｔ１０の期間において、全てのデータラインＬｄ１〜Ｌｄｍに設定電圧Ｖｄ（例えば、−３Ｖ）を印加する。
【０１１４】
カソード回路８は、スイッチ９を切り替えて、電流計７の他端に、共通電圧Ｖｃｏｍ（例えば、−１０Ｖ）を印加する。
【０１１５】
これにより、第１行〜第１０行の全ての画素２１（１，１）〜２１（１０，ｍ）の各々の有機ＥＬ素子ＯＥＬのアノード・カソード間にほぼ７Ｖの電圧降下が生じ、電流が流れる。
【０１１６】
第１１行〜第ｎ行の画素に関しては、トランジスタＴ２１，Ｔ２２、Ｔ２３が全てオフとなるため、電流は流れない。
【０１１７】
これにより、電流計７には、データドライバ５から第１行〜第１０行の全ての画素２１（１，１）〜２１（１０，ｍ）のトランジスタＴ２２と有機ＥＬ素子ＯＥＬを通り、カソードラインＬｃを介してカソード回路８に流れる電流が流れる。この電流を第１総測定電流Ｉｍａ１（１０）とする。この第１総測定電流Ｉｍａ１（１０）には保護回路１０による漏れ電流Ｉｒが含まれている。
【０１１８】
この第１総測定電流Ｉｍａ１（１０）の電流値は電流計７により測定され、ＡＤＣ５６に供給され、ＡＤＣ５６は、第１総測定電流Ｉｍａ１（１０）の電流値をデジタルデータに変換し、発光効率取得部５７に供給する。
【０１１９】
次いで、セレクトドライバ３は、第１実施形態と同様にして、セレクトラインＬｓ２〜Ｌｓ１０を選択する。
【０１２０】
そして、データドライバ５は、少なくとも上記Ｔ１０〜Ｔ１１の期間において、全てのデータラインＬｄ１〜Ｌｄｍに設定電圧Ｖｄを印加する。
【０１２１】
これにより、電流計７には、データドライバ５から第２行〜第１０行の全ての画素２１（２，１）〜２１（１０，ｍ）のトランジスタＴ２２と有機ＥＬ素子ＯＥＬを通り、カソードラインＬｃを介してカソード回路８に流れる電流が流れる。この電流を第２総測定電流Ｉｍａ１（９）とする。この第２総測定電流Ｉｍａ１（９）にも保護回路１０による漏れ電流Ｉｒが含まれている。
【０１２２】
この第２総測定電流Ｉｍａ１（９）の電流値は電流計７により測定され、ＡＤＣ５６に供給され、ＡＤＣ５６は、第２総測定電流Ｉｍａ１（９）の電流値をデジタルデータに変換し、発光効率取得部５７に供給する。
【０１２３】
次いで、発光効率取得部５７は、第１総測定電流Ｉｍａ１（１０）の電流値と第２総測定電流Ｉｍａ１（９）の電流値との差分値を求めることにより、漏れ電流Ｉｒが相殺されて、第１行のｍ個の画素２１（１，１）〜２１（１，ｍ）の各々の有機ＥＬ素子ＯＥＬに流れる検出電流Ｉelの総計となる合計検出電流Ｉelaを求める。
【０１２４】
そして、発光効率取得部５７は、合計検出電流Ｉelaの電流値の１／ｍを、第１行の１個の画素２１当たりの有機ＥＬ素子ＯＥＬ素子の検出電流Ｉelの平均値として取得し、取得した検出電流Ｉelの平均値の初期電流Ｉ０に対する電流値の変化率を算出し、この変化率（Ｉｄ／Ｉ０）の値でルックアップテーブルを引き、対応する、第１行の画素２１の有機ＥＬ素子ＯＥＬに対する発光効率η１を取得する。
【０１２５】
発光効率取得部５７は、抽出した発光効率η１をメモリ５８に供給し、メモリ５８は発光効率η１を格納する。
【０１２６】
本実施形態の有機ＥＬ表示装置１は、以上の動作を表示パネル２の全てのセレクトラインＬｓ１〜Ｌｓｎに対して実行する。
【０１２７】
これにより、発光効率取得部５７は、各行の画素２１の有機ＥＬ素子ＯＥＬに対する発光効率η１〜ηｎを取得して、メモリ５８に格納する。
【０１２８】
表示動作時には、メモリ５８に格納された各行に対応した発光効率ηを用いて各画素に対応した電圧データを補正する。
【０１２９】
これにより、本実施形態においても、第１の実施形態と同様に、各画素２１には、補正しない場合と比較して（１／η）倍に補正されたデータ電圧が印加され、これに伴い、ほぼ（１／η）倍の電流が各画素に流れ、初期状態と同等の発光輝度での表示（発光）が可能となる。
【０１３０】
また、本実施形態において発光効率取得動作に要する時間は、１行の画素２１の数をｍとして、概ね、上記第１の実施形態において発光効率取得動作に要する時間の１／ｍ程度になり、第１の実施形態に対して、発光効率取得動作に要する時間を短縮することができる。
【０１３１】
（変形例）
上記実施の形態で示した、各種電圧は、例示であり、表示動作時には、選択された画素への書き込み動作と非選択行の画素の発光動作を適切に行うことができ、発光効率取得動作時には、有機ＥＬ素子流れる電流を測定できるならば、その電圧関係は任意である。
【０１３２】
例えば、表示動作時には、（１）選択対象の行の画素２１のトランジスタＴ２１とＴ２２をオンさせ、非選択行の画素２１のトランジスタＴ２１とＴ２２をオフさせるようなハイレベル電圧Ｖhighとロウレベル電圧ＶlowをセレクトラインＬｓに印加し、（２）選択対象の行の画素２１のトランジスタＴ２３をオンさせ、非選択行の画素２１のトランジスタＴ２３をオフさせるような電圧Ｖccと基準電圧Ｖssを電源ラインＬｖに印加し、（３）有機ＥＬ素子ＯＥＬのカソードにスイッチ９及び電流計７を介して所定の電圧を印加し、（４）各データラインＬｄに印加する電圧を、所定電圧以上の階調に対応する電圧とし、発光効率取得時に、（１）電流を流す予定の単数又は複数の画素が位置する行の画素２１のトランジスタＴ２２をオンさせ、他の行の画素２１のトランジスタＴ２２をオフさせ、（２）全ての画素のトランジスタＴ２１のトランジスタＴ２３に電流が流れず（例えば、電源ラインＬｖの電圧とスイッチ９を介して電流計７の他端に印加される電圧が等しく）、（３）電流を流す予定の単数又は複数の画素が位置する列のデータラインＬｄに印加する電圧が電流計７の他端に印加される電圧よりも高く、他の列のデータラインＬｄに印加する電圧と電流計７の他端に印加される電圧と等しい、という条件が成立するならば、その電圧関係は任意である。
【０１３３】
例えば、図９（ａ）、図９（ｂ）に示すように、回路内の各電圧を正電圧で構成することも可能である。
図示するように、
（表示動作時）
i）セレクトラインＬｓに印加する電圧をＶhigh＝２５Ｖ、Ｖlow＝０Ｖ（ＧＮＤ）に設定し、
ii）電源ラインＬｖに印加する電圧Ｖｃｃを＋２５Ｖ，基準電圧Ｖｓｓを＋１０Ｖに設定し、
iii）データラインＬｄに印加する電圧を＋１０Ｖ〜接地電圧の間の階調に応じた電圧に設定する。
（発光効率取得時）
i）電流を流す予定の単数又は複数の画素が位置する行のセレクトラインＬｓに印加する電圧をＶhigh＝２５Ｖ、他の行の画素２１が位置する行のセレクトラインに印加する電圧をＶlow＝０Ｖ（ＧＮＤ）に設定し、
ii）全ての電源ラインＬｖに印加する電圧を０Ｖ（接地電位）に設定し、
iii）スイッチ９と電流計７を介して有機ＥＬ素子ＯＥＬのカソードに印加する電圧を０Ｖとし、
iv）電流を流す予定の単数又は複数の画素が位置する列のデータラインＬｄに印加する電圧を０Ｖより高い電位の電圧に設定する。
【０１３４】
このような複数の電圧は、例えば、＋１５ＶのＤＣ電源と＋１０ＶのＤＣ電源を、図９（ｃ）に示すように接続することにより、生成可能である。
【０１３５】
尚、本発明を実施するにあたっては、種々の形態が考えられ、上記実施形態に限られるものではない。
【０１３６】
例えば、上記実施形態では、発光素子を有機ＥＬ素子として説明した。しかし、発光素子は、有機ＥＬ素子に限られるものではなく、例えば、無機ＥＬ素子又はＬＥＤであってもよい。
【０１３７】
＜電子機器の適用例＞
次に、上述した各実施形態に係る有機ＥＬ表示装置を適用した電子機器について図面を参照して説明する。
【０１３８】
上述した各実施形態に示した有機ＥＬ表示装置１は、例えばデジタルカメラ、パーソナルコンピュータ、携帯電話機等、種々の電子機器の表示デバイスとして良好に適用できるものである。
【０１３９】
図１０は、本発明に係る有機ＥＬ表示装置を適用したデジタルカメラの構成例を示す斜視図であり、図１１は、本発明に係る有機ＥＬ表示装置を適用したパーソナルコンピュータの構成例を示す斜視図であり、図１２は、本発明に係る有機ＥＬ表示装置を適用した携帯電話機の構成例を示す斜視図である。
【０１４０】
図１０において、デジタルカメラ２００は、図１０（ａ）及び（ｂ）に示すように、レンズ部２０１と操作部２０２と表示部２０３とファインダー２０４とを備える。この表示部２０３に上記各実施形態に示した有機ＥＬ表示装置１が適用される。これによれば、表示部２０３において、画像データに応じた適切な輝度で発光動作させることができ、画質を向上させることができる。
【０１４１】
図１１において、パーソナルコンピュータ２１０は、表示部２１１と操作部２１２とを備え、この表示部２１１に上記各実施形態に示した有機ＥＬ表示装置１が適用される。これによれば、表示部２１１において、画像データに応じた適切な輝度で発光動作させることができ、画質を向上させることができる。
【０１４２】
図１２に示す携帯電話機２２０は、表示部２２１と、操作部２２２と、受話部２２３と送話部２２４とを備え、この表示部２２１に発光装置１０上記各実施形態に示した有機ＥＬ表示装置１が適用される。これによれば、表示部２２１において、画像データに応じた適切な輝度で発光動作させることができ、画質を向上させることができる。  なお、上述した各実施形態においては、有機ＥＬ表示装置が、複数の画素が二次元配列された表示パネルを備えて構成される場合について詳しく説明したが、本発明はこれに限定されるものではない。本発明に係る構成を、例えば発光素子を有する複数の画素が一方向に配列された発光素子アレイを備えて、感光体ドラムに画像データに応じて発光素子アレイから出射した光を照射して露光する露光装置に適用するものであってもよい。
【符号の説明】
【０１４３】
１…有機ＥＬ表示装置、２…表示パネル、３…セレクトドライバ、４…電源ドライバ、５…データドライバ、６…システムコントローラ、７…電流計、８…カソード回路、９…スイッチ、１０…保護回路、１１…ライン、１２…ライン、２１…画素、５０…シフトレジスタ回路、５１…データレジスタ回路、５２…データラッチ回路、５３…補正演算部、５４…デジタル電圧／アナログ電圧変換回路（ＤＡＣ）、５５…出力回路、５６…アナログ電圧／デジタル電圧変換回路（ＡＤＣ）、５７…発光率抽出部、５８…メモリ、２００…デジタルカメラ、２０１…レンズ部、２０２…操作部、２０３…表示部、２０４…ファインダー、２１０…パーソナルコンピュータ、２１１…表示部、２１２…操作部、２２０…携帯電話機、２２１…表示部、２２２…操作部、２２３…受話部、２２４…送話部、Ｄ１…ダイオード、Ｄ２…ダイオード
【図１】
0005338784.tif 000002
【図２】
0005338784.tif 000003
【図３】
0005338784.tif 000004
【図４】
0005338784.tif 000005
【図５】
0005338784.tif 000006
【図６】
0005338784.tif 000007
【図７】
0005338784.tif 000008
【図８】
0005338784.tif 000009
【図９】
0005338784.tif 000010
【図１０】
0005338784.tif 000011
【図１１】
0005338784.tif 000012
【図１２】
0005338784.tif 000013